(57)【要約】【課題】時刻指定やリダイヤルによるファクシミリ送信であっても誤送信を回避することができるファクシミリ装置を提供する。【解決手段】宛先情報を集めた最新のデータベース６ａを保持するＬＤＡＰサーバ６と接続されるファクシミリ装置１であって、宛先を含む送信指示を受け付ける入力部２０と、宛先を検索キーとしてデータベース６ａ内の宛先情報を検索する検索部２４と、ファクシミリ送信を実行する送信部２５と、送信指示を受け付けた直後の第１回目、及び、時刻指定による送信指示を受け付けた場合におけるファクシミリ送信の直前、又は、リダイヤルによるファクシミリ送信の直前の第２回目において、検索部２４に検索を実行させ、第１回目及び第２回目の検索においてデータベース６ａ内に検索キーを含む宛先情報が存在した場合に、当該宛先に対するファクシミリ送信を送信部２５に実行させる制御部２３とを備える。【選択図】図５
2008035021.tif 000002
【特許請求の範囲】
【請求項１】
ファクシミリの宛先を示す宛先情報を集めた最新のデータベースを保持するデータベース装置と通信網を介して接続されるファクシミリ装置であって、
ファクシミリ送信の宛先を含む送信指示を受け付ける入力手段と、
前記入力手段が受け付けた宛先を検索キーとして前記データベース装置が保持するデータベース内の宛先情報を検索する検索手段と、
ファクシミリ送信を実行する送信手段と、
前記入力手段が前記送信指示を受け付けた直後の第１回目、及び、前記入力手段が時刻指定による送信指示を受け付けた場合におけるファクシミリ送信の直前、又は、リダイヤルによるファクシミリ送信の直前の第２回目において、前記検索手段による検索を実行させ、前記第１回目及び前記第２回目の検索において前記データベース内に前記検索キーを含む宛先情報が存在した場合に、当該宛先に対するファクシミリ送信を前記送信手段に実行させる制御をする制御手段と
を備えることを特徴とするファクシミリ装置。
【請求項２】
前記制御手段はさらに、前記入力手段が前記送信指示を受け付けてから、前記送信手段が時刻指定によるファクシミリ送信、又は、リダイヤルによるファクシミリ送信をするまでの時間が予め定められた時間よりも経過しているか否かを判断し、経過していない場合には、前記第２回目の検索を実行させることなく、時刻指定によるファクシミリ送信、又は、リダイヤルによるファクシミリ送信を前記送信手段に実行させる
ことを特徴とする請求項１記載のファクシミリ装置。
【請求項３】
前記制御手段は、前記入力手段が前記送信指示を受け付けた日と、前記送信手段が時刻指定によるファクシミリ送信、又は、リダイヤルによるファクシミリ送信をする日とが一致するか否かを判断し、一致する場合には、前記第２回目の検索を実行させることなく、時刻指定によるファクシミリ送信、又は、リダイヤルによるファクシミリ送信を前記送信手段に実行させる
ことを特徴とする請求項２記載のファクシミリ装置。
【請求項４】
前記入力手段はさらに、宛先とデータベースとの照合をするか否かについての指示を受け付け、
前記制御手段は、前記入力手段が宛先とデータベースとを照合しない旨の指示を受け付けている場合には、前記第１回目及び前記第２回目の検索を実行させることなく、時刻指定によるファクシミリ送信、又は、リダイヤルによるファクシミリ送信を前記送信手段に実行させる
ことを特徴とする請求項１記載のファクシミリ装置。
【請求項５】
前記制御手段は、時刻指定によるファクシミリ送信及びリダイヤルによるファクシミリ送信の原稿を保持しておく送信キューを有し、前記第１回目の検索において前記データベース内に前記検索キーを含む宛先情報が存在し、かつ、前記第２回目の検索において前記データベース内に前記検索キーを含む宛先情報が存在しなかった場合には、当該宛先が存在しない旨を通知するとともに、前記送信キューにおける当該宛先の原稿を消去、又は、当該宛先の編集が可能な保留状態にする
ことを特徴とする請求項１記載のファクシミリ装置。
【発明の詳細な説明】
【技術分野】
【０００１】
本発明は、ファクシミリ装置に関し、特に、誤った宛先にファクシミリ送信をしてしまう誤送信の防止機能を備えるファクシミリ装置に関する。
【背景技術】
【０００２】
誤った宛先にファクシミリ送信をしてしまう誤送信は、相手先に迷惑をかけるだけでなく、情報漏洩等の問題を引き起こしてしまう。このような誤送信は、ファクシミリ番号の直接入力における入力ミスや、相手先の移転等によるファクシミリ番号の変更等により引き起こされる。
【０００３】
従来、このような誤送信を避けるために、様々な技術が提案されている（例えば、特許文献１参照）。特許文献１の技術では、ファクシミリ装置に登録されているダイヤル情報を最新の正しいダイヤル情報に維持しておくために、最新の正しい情報が登録されたデータベースに定期的にアクセスし、記憶しているダイヤル情報を自動更新するファクシミリ装置が提案されている。これによって、ファクシミリ番号の入力ミス、あるいは、相手先のファクシミリ番号が変更されたこと等に起因する誤送信を回避しようとしている。
【特許文献１】特開２００２−２３２６６３号公報
【発明の開示】
【発明が解決しようとする課題】
【０００４】
しかしながら、上記特許文献１に記載されたファクシミリ装置では、自動更新と相手先のファクシミリ番号が変更されるタイミングの関係によっては、誤送信が行われてしまうという問題がある。たとえば、相手先のファクシミリ番号が変更された直後においてファクシミリ送信が実行される場合には、ファクシミリ装置に登録されているダイヤル情報が必ずしも自動更新されているとは限らないために、古いファクシミリ番号に対してファクシミリ送信が実行されてしまうことが起こり得る。
【０００５】
特に、時刻指定によるファクシミリ送信や、リダイヤルによるファクシミリ送信においては、送信先のファクシミリ番号が確定した時点と実際に送信される時点とでは時間的なずれがあるために、たとえダイヤルが自動更新される場合であっても、宛先が確定してから実際に送信されるまでに長い時間が経過し、その結果、その間に相手先のファクシミリ番号が変更される確率が高くなり（つまり、自動更新の対象とならない期間が発生することとなり）、古いファクシミリ番号に対して送信されてしまうという誤送信が起こり得る。
【０００６】
そこで、本発明は、このような状況に鑑みてなされたものであり、時刻指定やリダイヤルによるファクシミリ送信であっても誤送信をすることなく、正しい宛先にファクシミリ送信をすることができるファクシミリ装置を提供することを目的とする。
【課題を解決するための手段】
【０００７】
上記目的を達成するために、本発明に係るファクシミリ装置は、ファクシミリの宛先を示す宛先情報を集めた最新のデータベースを保持するデータベース装置と通信網を介して接続されるファクシミリ装置であって、ファクシミリ送信の宛先を含む送信指示を受け付ける入力手段と、前記入力手段が受け付けた宛先を検索キーとして前記データベース装置が保持するデータベース内の宛先情報を検索する検索手段と、ファクシミリ送信を実行する送信手段と、前記入力手段が前記送信指示を受け付けた直後の第１回目、及び、前記入力手段が時刻指定による送信指示を受け付けた場合におけるファクシミリ送信の直前、又は、リダイヤルによるファクシミリ送信の直前の第２回目において、前記検索手段による検索を実行させ、前記第１回目及び前記第２回目の検索において前記データベース内に前記検索キーを含む宛先情報が存在した場合に、当該宛先に対するファクシミリ送信を前記送信手段に実行させる制御をする制御手段とを備えることを特徴とする。これにより、送信指示の時だけでなく、時刻指定やリダイヤルによるファクシミリ送信の直前においても、宛先が最新のデータベースに存在することが確認されるので、その間におけるファクシミリ番号の変更等に起因するファクシミリの誤送信が回避される。
【０００８】
ここで、前記制御手段はさらに、前記入力手段が前記送信指示を受け付けてから、前記送信手段が時刻指定によるファクシミリ送信、又は、リダイヤルによるファクシミリ送信をするまでの時間が予め定められた時間よりも経過しているか否かを判断し、経過していない場合には、前記第２回目の検索を実行させることなく、時刻指定によるファクシミリ送信、又は、リダイヤルによるファクシミリ送信を前記送信手段に実行させてもよい。例えば、前記制御手段は、前記入力手段が前記送信指示を受け付けた日と、前記送信手段が時刻指定によるファクシミリ送信、又は、リダイヤルによるファクシミリ送信をする日とが一致するか否かを判断し、一致する場合には、前記第２回目の検索を実行させることなく、時刻指定によるファクシミリ送信、又は、リダイヤルによるファクシミリ送信を前記送信手段に実行させてもよい。これにより、データベースが１日に１回しか更新されない場合には、送信指示時と送信時において重複して宛先確認が実行されることによる無駄な通信負荷と処理時間が発生してしまうことが回避される。
【０００９】
また、前記入力手段はさらに、宛先とデータベースとの照合をするか否かについての指示を受け付け、前記制御手段は、前記入力手段が宛先とデータベースとを照合しない旨の指示を受け付けている場合には、前記第１回目及び前記第２回目の検索を実行させることなく、時刻指定によるファクシミリ送信、又は、リダイヤルによるファクシミリ送信を前記送信手段に実行させる構成とするのが好ましい。これにより、宛先確認をする／しないを選択することが可能となり、誤送信の防止と、宛先確認を省略することによる送信処理の迅速化のいずれかを優先することができ、多様な運用方法に対応できる。
【発明の効果】
【００１０】
本発明により、時刻指定やリダイヤルによるファクシミリ送信であっても誤送信をすることなく、正しい宛先にファクシミリ送信をすることができる。
【００１１】
よって、ファクシミリの誤送信によって他人に迷惑をかけてしまうことや情報が漏洩してしまうことが確実に防止され、本発明の実用的価値は極めて高い。
【発明を実施するための最良の形態】
【００１２】
以下、本発明の実施の形態について図面を用いて詳細に説明する。
【００１３】
図１は、本発明に係るファクシミリ装置を含む通信システムの構成を示す図である。この通信システムでは、本発明に係るファクシミリ装置１は、ＰＳＴＮ（Ｐｕｂｌｉｃ  Ｓｗｉｔｃｈｅｄ  Ｔｅｌｅｐｈｏｎｅ  Ｎｅｔｗｏｒｋｓ；公衆電話交換回線網）７を介して、ファクシミリの送受信の相手先となる相手ファクシミリ装置２に接続されるとともに、ＬＡＮ８を介して、端末装置３及び４、ルータ５に接続されている。さらに、このファクシミリ装置１は、ＬＡＮ８、ルータ５及びインターネット９を介して、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバ６にも接続されている。
【００１４】
端末装置３及び４は、Ｗｅｂクライアントとして、ＬＡＮ８を介して、Ｗｅｂサーバとしてのファクシミリ装置１にアクセスし、ファクシミリ装置１に対して各種指示を与えたり、各種設定をする端末装置であり、ファクシミリ装置１の遠隔操作パネルとしても機能する。
【００１５】
ルータ５は、ＬＡＮ８とＷＡＮとしてのインターネット９とを相互接続するゲートウェイとして機能するルータである。
【００１６】
ＬＤＡＰサーバ６は、ＬＤＡＰと呼ばれるプロトコルを用いて、ディレクトリサービスを提供する装置であり、ここでは、図２に示されるように、ネットワークを利用する全ユーザについての宛先情報、つまり、ファクシミリの送信先を示す「宛先名称（ユーザ名）」と「ファクシミリ番号」と「電子メールアドレス」とを含む宛先情報を集めた最新のデータベース６ａを保持するデータベース装置の一例である。このＬＤＡＰサーバ６は、データベース６ａに対して、宛先名称やファクシミリ番号等を検索キーとして、検索キーを完全一致等の条件とし、宛先情報を検索する機能を備える。なお、最新のデータベースとは、最新の内容に更新される対象となっているデータベースをいい、その更新の頻度についてはケースバイケースで決定される。
【００１７】
ファクシミリ装置１は、本発明に係るファクシミリ装置の一例であり、後述するように、誤送信を防止する各種機能を備える点に特徴を有する。このファクシミリ装置１は、例えば、Ｗｅｂサーバとしての機能を備えるＭＦＰ（Ｍｕｌｔｉ  Ｆｕｎｃｔｉｏｎ  Ｐｅｒｉｐｈｅｒａｌｓ；複合機）等であり、ハードウェア構成として、図３に示されるように、ＣＰＵ１０、ＲＯＭ１１、ＲＡＭ１２、モデム１３、ＮＣＵ（Ｎｅｔｗｏｒｋ  Ｃｏｎｔｒｏｌ  Ｕｎｉｔ）１４、操作パネル１５、ディスプレイ１６、スキャナ１７、プリンタ１８及びＬＡＮＩ／Ｆ（ＬＡＮ  インターフェース）１９を備える。
【００１８】
ＣＰＵ１０は、ＲＯＭ１１に格納された制御プログラム１１ａを実行するプロセッサであり、カレンダ・タイマ等を内蔵するワンチップマイコン等である。
【００１９】
ＲＯＭ１１は、制御プログラム１１ａ等を保持する読み出し専用メモリである。
【００２０】
ＲＡＭ１２は、ＣＰＵ１０が制御プログラム１１ａを実行するときに使用するワークエリア、スキャナ１７で読み込まれた画像データや相手ファクシミリ装置２から送信されてきた画像データ等を一時的に保持する揮発性の記憶領域、及び、送信バッファとしての送信キュー１２ａを保持する不揮発性の記憶領域等を有する読み書き可能なメモリである。
【００２１】
ここで、送信キュー１２ａとは、時刻指定によるファクシミリ送信及びリダイヤルによるファクシミリ送信の原稿（送信待ち原稿）を保持しておく記憶バッファである。この送信キュー１２ａには、送信キュー１２ａに保持されている原稿を管理するための管理テーブル１２ｂも格納されている。ここで、管理テーブル１２ｂは、図４に示されるように、送信キュー１２ａに保持されている原稿ごとに対応するエントリとして、送信指示を受け付けた日時を示す「受付日時」、送信先を示す「宛先」、送信先の指定方法を示す「入力モード」、送信する原稿のデータ名（又は、ＲＡＭ１２内の格納場所）を示す「原稿（ファイル名）」、及び、送信のタイミングを示す「送信予定日時」等からなる。なお、管理テーブル１２ｂの「入力モード」において、「直接入力」とは、数値キーでファクシミリ番号が直接入力されたことを意味し、「ワンタッチ」とは、ワンタッチボタンや短縮ダイヤルの押下によって予め登録されているファクシミリ番号が入力されたことを意味する。また、「送信予定日時」において、「即時」とは、送信指示がなされた順（送信キュー１２ａへの登録順）に従って遅滞なく送信することを意味し、「指定：（日時）」とは、指定された日時に送信することを意味し、「リダイヤル：（日時）」とは、送信できなかった前回の送信試行日時から一定時間を経過した日時にリダイヤルによって再送信することを意味する。
【００２２】
モデム１３は、ファクシミリ送信のために画像データを変調したり、外部からファクシミリ送信されてきた画像データを復調するファックスモデムである。
【００２３】
ＮＣＵ１４は、ＰＳＴＮ７と接続される回線終端装置である。
【００２４】
操作パネル１５は、ユーザからの操作を受け付けるパネルであり、例えば、ファクシミリ送信の宛先を直接入力したり、短縮ダイヤルを入力するための数値キー、ワンタッチ送信用のキー、ディスプレイ１６に表示されたソフトボタンを押下するためのタッチパネル等である。
【００２５】
ディスプレイ１６は、液晶表示装置（ＬＣＤ）等であり、ユーザとの対話に使用されたり、ファクシミリ装置１の動作状態を表示したりする。
【００２６】
スキャナ１７は、ファクシミリ送信したり、プリンタ１８に複写出力したりする原稿の内容をＣＣＤ等で読み取り、送信キュー１２ａに蓄積される画像データを生成する画像読み取り装置である。
【００２７】
プリンタ１８は、印刷装置であり、例えば、相手ファクシミリ装置２から送信されてきた画像データ（ファクシミリ受信データ）や、スキャナ１７からの読み取り内容、ファクシミリ装置１の動作状態等を印刷出力する。
【００２８】
ＬＡＮＩ／Ｆ１９は、このファクシミリ装置１とＬＡＮ８とを接続する通信アダプタである。
【００２９】
図５は、本発明に係るファクシミリ装置１の特徴的な機能構成を示すブロック図である。つまり、図３に示されるハードウェア構成によって発揮されるファクシミリ装置１の機能のうち、本発明に関わる機能を示すブロック図である。
【００３０】
このファクシミリ装置１は、機能的には、入力部２０、原稿読み取り部２１、出力部２２、制御部２３、検索部２４及び送信部２５を備える。
【００３１】
入力部２０は、図３における操作パネル１５あるいはＷｅｂクライアント（端末装置３及び４）からの各種指示を受け取るＷｅｂサーバとしての機能に対応し、ファクシミリ送信の宛先を含む送信指示を受け付けたり、「照合モード」等の各種設定パラメータについての指示を受け付けたりする。ここで、「照合モード」とは、ファクシミリ送信の宛先としてファクシミリ番号が直接入力された場合に、その宛先とデータベース６ａとの照合を行うか否かを指定する設定パラメータの一つであり、その値はＲＡＭ１２に保存される。「照合モード」が「ＯＮ」に設定された場合には、ファクシミリ番号の入力時、及び、時刻指定送信時及びリダイヤル送信時において、宛先がデータベース６ａと照合され、宛先を含む宛先情報がデータベース６ａに存在するときにだけ、ファクシミリ送信が実行される。
【００３２】
原稿読み取り部２１は、図３におけるスキャナ１７等に対応し、ファクシミリ送信の対象となる原稿を取得する処理部である。この原稿読み取り部２１によって取得された原稿は、一旦、制御部２３の送信キュー１２ａに蓄積され、即座に、あるいは、指定時刻になったときに、送信部２５によって送信される。
【００３３】
出力部２２は、図３におけるＣＰＵ１０と制御プログラム１１ａとディスプレイ１６あるいはプリンタ１８等によって実現される処理部であり、送信先として指定された宛先がデータベース６ａに存在しないときに、当該宛先が存在しない旨を操作者に通知したりする。
【００３４】
検索部２４は、図３におけるＣＰＵ１０と制御プログラム１１ａとＬＡＮＩ／Ｆ１９等によって実現される処理部であり、入力部２０が受け付けた宛先を検索キーとしてＬＤＡＰサーバ６が保持するデータベース６ａ内の宛先情報を検索する検索手段の一例である。
【００３５】
送信部２５は、図３におけるＣＰＵ１０と制御プログラム１１ａとモデム１３とＮＣＵ１４等によって実現される処理部であり、ファクシミリ送信を実行する送信手段の一例である。
【００３６】
制御部２３は、図３におけるＣＰＵ１０と制御プログラム１１ａ等によって実現される処理部であり、入力部２０が送信指示を受け付けた直後の第１回目、及び、入力部２０が時刻指定による送信指示を受け付けた場合におけるファクシミリ送信の直前、又は、リダイヤルによるファクシミリ送信の直前の第２回目において、検索部２４による検索を実行させ、その第１回目及び第２回目の検索においてデータベース内に検索キーを含む宛先情報が存在した場合に、当該宛先に対するファクシミリ送信を送信部２５に実行させる制御をする制御手段の一例である。
【００３７】
制御部２３はさらに、入力部２０が送信指示を受け付けてから、送信部２５が時刻指定によるファクシミリ送信、又は、リダイヤルによるファクシミリ送信をするまでの時間が予め定められた時間よりも経過しているか否かを判断し、経過していない場合には、第２回目の検索を実行させることなく、時刻指定によるファクシミリ送信、又は、リダイヤルによるファクシミリ送信を送信部２５に実行させる。具体的には、制御部２３は、入力部２０が送信指示を受け付けた日と、送信部２５が時刻指定によるファクシミリ送信、又は、リダイヤルによるファクシミリ送信をする日とが一致するか否かを判断し、一致する場合には、第２回目の検索を実行させることなく、時刻指定によるファクシミリ送信、又は、リダイヤルによるファクシミリ送信を送信部２５に実行させる。
【００３８】
なお、制御部２３は、入力部２０が宛先とデータベースとを照合しない旨の指示を受け付けている（「照合モード」が「ＯＦＦ」に設定されている）場合には、第１回目及び第２回目の検索を実行させることなく、時刻指定によるファクシミリ送信、又は、リダイヤルによるファクシミリ送信を送信部２５に実行させる。また、この制御部２３は、時刻指定によるファクシミリ送信及びリダイヤルによるファクシミリ送信の原稿を保持しておく送信キュー１２ａを有し、第１回目の検索においてデータベース内に検索キーを含む宛先情報が存在し、かつ、第２回目の検索においてデータベース内に検索キーを含む宛先情報が存在しなかった場合には、当該宛先が存在しない旨を出力部２２を介して操作者に通知するとともに、送信キュー１２ａに格納された原稿と管理テーブル１２ｂの当該エントリを消去、又は、管理テーブル１２ｂの当該エントリを編集可能な保留状態にする。
【００３９】
次に、以上のように構成された本実施の形態におけるファクシミリ装置１の動作について説明する。
【００４０】
図６は、操作者によってファクシミリ送信の指示がなされたときのファクシミリ装置１の処理手順を示すフローチャートである。
【００４１】
まず、入力部２０は、図７の上図に示される操作例のように、操作者から、ファクシミリ送信の宛先を含む送信指示を受け付ける（Ｓ１０）。
【００４２】
次に、制御部２３は、予め設定されている「照合モード」を参照し、その「照合モード」が「ＯＦＦ」に設定されている場合には（Ｓ１１でＮｏ）、原稿読み取り部２１を起動して原稿を読み取らせ、読み取られた原稿を送信キュー１２ａに格納するとともに、図４に示される管理テーブル１２ｂに１つのエントリを登録する（Ｓ１５）。
【００４３】
一方、「照合モード」が「ＯＮ」に設定されている場合には（Ｓ１１でＹｅｓ）、制御部２３は、続いて、宛先が直接入力によるか否かを判断し（Ｓ１２）、直接入力でない（ワンタッチ等による入力）場合には（Ｓ１２でＮｏ）、宛先が誤入力となる可能性が低いと判断し、原稿読み取り部２１による原稿の読み取りと読み取った原稿の送信キュー１２ａへの登録を行う（Ｓ１５）。
【００４４】
一方、宛先が直接入力による場合には（Ｓ１２でＹｅｓ）、制御部２３は、宛先が誤入力となる可能性が高いと判断し、その宛先について、検索部２４による検索を実行させる（Ｓ１３）。つまり、検索部２４は、制御部２３による制御下で、その宛先を検索キーとしてＬＤＡＰサーバ６が保持するデータベース６ａ内の宛先情報を完全一致で検索し、その検索結果を制御部２３に報告する。
【００４５】
その結果、データベース６ａ内に検索キーを含む宛先情報が存在する場合には（Ｓ１４でＹｅｓ）、制御部２３は、宛先が正しいものと判断し、原稿読み取り部２１による原稿の読み取りと読み取った原稿を送信キュー１２ａに格納し、その送信情報を管理テーブル１２ｂに登録するとともに（Ｓ１５）、図７の左下図に示される表示例のように、送信指示を受け付けた旨を出力部２２を介して操作者に通知する。
【００４６】
一方、データベース６ａ内に検索キーを含む宛先情報が存在しない場合には（Ｓ１４でＮｏ）、制御部２３は、図７の右下図に示される表示例のように、当該宛先が存在しない旨を出力部２２を介して操作者に通知する（Ｓ１６）。
【００４７】
このように、操作者がファクシミリ番号を直接入力して送信指示した場合には、そのファクシミリ番号が最新のデータベース６ａに存在するか否かが判断され、存在する場合にだけ、原稿が送信キュー１２ａに格納され、ファクシミリ送信の対象となる。よって、入力ミス等によって最新のデータベース６ａに登録されていないファクシミリ番号が入力された場合には、送信が拒否され、誤送信が回避される。
【００４８】
図８は、送信キュー１２ａに蓄積された原稿を読み出して時刻指定又はリダイヤルによるファクシミリ送信をするときのファクシミリ装置１の処理手順を示すフローチャートである。
【００４９】
まず、制御部２３は、内蔵するカレンダ・タイマが示す現在日時と送信キュー１２ａの管理テーブル１２ｂにおける「送信予定日時」とを照合することで、送信キュー１２ａに蓄積された原稿のうち、送信時刻が到来した原稿を抽出する（Ｓ２０）。
【００５０】
送信時刻が到来した原稿が見つかると（Ｓ２０でＹｅｓ）、制御部２３は、送信キュー１２ａの管理テーブル１２ｂの「宛先」を読み出すことで、宛先を取得する（Ｓ２１）。
【００５１】
そして、制御部２３は、予め設定されている「照合モード」を参照し、その「照合モード」が「ＯＦＦ」に設定されている場合には（Ｓ２２でＮｏ）、いま時刻が到来した原稿を送信キュー１２ａから読み出し、読み出した原稿と「宛先」情報とを送信部２５に渡すことで、ファクシミリ送信を実行させる（Ｓ２７）。
【００５２】
一方、「照合モード」が「ＯＮ」に設定されている場合には（Ｓ２２でＹｅｓ）、制御部２３は、続いて、管理テーブル１２ｂの「入力モード」を読み出し、読み出した「入力モード」が「直接入力」であるか否かを判断し（Ｓ２３）、「直接入力」でない（ワンタッチ等による入力）場合には（Ｓ２３でＮｏ）、宛先が誤入力となる可能性が低いと判断し、いま時刻が到来した原稿を送信キュー１２ａから読み出し、読み出した原稿と「宛先」情報とを送信部２５に渡すことで、ファクシミリ送信を実行させる（Ｓ２７）。
【００５３】
一方、「入力モード」が「直接入力」である場合には（Ｓ２３でＹｅｓ）、制御部２３は、続いて、管理テーブル１２ｂの「受付日時」を読み出し、その「受付日時」とカレンダ・タイマが示す現在日時とを比較することで、送信指示がなされた日から１日以上経過しているか否か、つまり、送信指示を受け付けた日と、時刻指定によるファクシミリ送信、又は、リダイヤルによるファクシミリ送信をする日とが異なるか否かを判断する（Ｓ２４）。
【００５４】
その結果、１日以上経過していない場合には（Ｓ２４でＮｏ）、制御部２３は、宛先の再確認が不要と判断し、いま時刻が到来した原稿を送信キュー１２ａから読み出し、読み出した原稿と「宛先」情報とを送信部２５に渡すことで、ファクシミリ送信を実行させる（Ｓ２７）。なお、再確認が不要と判断したのは、本実施の形態では、データベース６ａが更新される頻度が１回／日であり、既に、同じ日（送信指示時）において宛先をデータベース６ａと照合しているからである。
【００５５】
一方、送信指示がなされた日から１日以上経過している場合には（Ｓ２４でＹｅｓ）、制御部２３は、宛先が誤入力となる可能性が高いと判断し、その宛先について、検索部２４による検索を実行させる（Ｓ２５）。つまり、検索部２４は、制御部２３による制御下で、その宛先を検索キーとしてＬＤＡＰサーバ６が保持するデータベース６ａ内の宛先情報を完全一致で検索し、その検索結果を制御部２３に報告する。
【００５６】
その結果、データベース６ａ内に検索キーを含む宛先情報が存在する場合には（Ｓ２６でＹｅｓ）、制御部２３は、宛先が正しいものと判断し、いま時刻が到来した原稿を送信キュー１２ａから読み出し、読み出した原稿と「宛先」情報とを送信部２５に渡すことで、ファクシミリ送信を実行させる（Ｓ２７）。
【００５７】
一方、データベース６ａ内に検索キーを含む宛先情報が存在しない場合には（Ｓ２６でＮｏ）、制御部２３は、図９の上図に示される表示例のように、当該宛先がデータベース６ａ内に存在しない旨を出力部２２で表示するとともに（Ｓ２８）、送信キュー１２ａに格納された原稿と管理テーブル１２ｂの当該エントリを消去、又は、管理テーブル１２ｂの当該エントリを編集可能な保留状態にし（Ｓ２９）、図９の下図に示される印刷例のように、その旨を出力部２２で印刷出力する。なお、管理テーブル１２ｂが「保留状態」になった場合には、操作者は、入力部２０を介して管理テーブル１２ｂの該当エントリにアクセスし、「宛先」を正しい内容に変更したりする等の編集をすることができる。
【００５８】
このように、「照合モード」が「ＯＮ」で、宛先のファクシミリ番号が直接入力され、かつ、送信指示がなされてから送信されるまでに１日以上経過している場合には、送信指示時だけでなく、送信の直前においても、その宛先が最新のデータベース６ａに存在するか否かが判断され、存在する場合にだけ、送信が実行される。よって、送信指示がなされてから送信されるまでの間において相手側のファクシミリ番号が変更された等の理由によって宛先が変更された場合であっても、そのことが検出されて送信がキャンセルされるので、誤送信が回避される。
【００５９】
以上、本発明に係るファクシミリ装置について、実施の形態に基づいて説明したが、本発明は、この実施の形態に限定されるものではない。
【００６０】
たとえば、本実施の形態では、宛先の確認は、直接入力されたファクシミリ番号がデータベース６ａに存在するか否かによって判断されたが、本発明は、このような判断手法に限定されるものではない。宛先として、宛先名称、ファクシミリ番号及び電子メールアドレスのいずれか、あるいは、２以上の組み合わせで指定されている場合には、それらが完全一致、あるいは、少なくとも１つが一致（部分一致）する場合に、宛先がデータベース６ａに存在すると判断してもよい。これによって、宛先照合における判断基準の厳格さを調整することが可能となる。
【００６１】
また、本実施の形態では、宛先情報を集めた最新のデータベースを保持するデータベース装置として、ＬＤＡＰサーバ６が用いられたが、本発明は、このようなプロトコルを実装した装置に限定されるものではなく、少なくとも最新のファクシミリ番号を保持する装置であれば、いかなるデータベース装置であってもよい。
【００６２】
また、本実施の形態では、送信の直前における宛先確認として、宛先のファクシミリ番号が直接入力され、かつ、送信指示がなされてから送信されるまでに１日以上経過している場合だけが対象となったが、本発明は、このような条件だけに限定されるものではない。たとえば、送信指示における宛先の「入力モード」に拘わらず、常に、送信直前における宛先確認を実行してもよい。より確実にファクシミリ番号の変更等による誤送信が回避されるからである。同様に、送信指示から送信までの経過日数（時間）に拘わらず、常に、送信直前における宛先確認を実行してもよい。データベース６ａの更新頻度に依存することなく、ファクシミリ番号の変更等による誤送信が確実に回避されるからである。
【産業上の利用可能性】
【００６３】
本発明は、ファクシミリ装置として、例えば、ＭＦＰ等として、特に、相手先のファクシミリ番号の変更に起因する誤送信を防止することができるファクシミリ装置として、利用することができる。
【図面の簡単な説明】
【００６４】
【図１】本発明に係るファクシミリ装置を含む通信システムの構成を示す図である。
【図２】ＬＤＡＰサーバが保持する最新のデータベースの構成を示す図である。
【図３】ファクシミリ装置のハードウェア構成を示す図である。
【図４】ファクシミリ装置が保持する送信キューに置かれる管理テーブルの構成を示す図である。
【図５】ファクシミリ装置の特徴的な機能構成を示すブロック図である。
【図６】操作者によってファクシミリ送信の指示がなされたときのファクシミリ装置の処理手順を示すフローチャートである。
【図７】図６のフローチャートに示される処理を説明する図である。
【図８】送信キューに蓄積された原稿を読み出して時刻指定又はリダイヤルによるファクシミリ送信をするときのファクシミリ装置の処理手順を示すフローチャートである。
【図９】図８のフローチャートに示される処理を説明する図である。
【符号の説明】
【００６５】
１    ファクシミリ装置
２    相手ファクシミリ装置
３、４    端末装置
５    ルータ
６    ＬＤＡＰサーバ
６ａ  データベース
７    ＰＳＴＮ
８    ＬＡＮ
９    インターネット
１０    ＣＰＵ
１１    ＲＯＭ
１１ａ  制御プログラム
１２    ＲＡＭ
１２ａ  送信キュー
１２ｂ  管理テーブル
１３    モデム
１４    ＮＣＵ
１５    操作パネル
１６    ディスプレイ
１７    スキャナ
１８    プリンタ
１９    ＬＡＮＩ／Ｆ
２０    入力部
２１    原稿読み取り部
２２    出力部
２３    制御部
２４    検索部
２５    送信部
【図１】
2008035021.tif 000003
【図２】
2008035021.tif 000004
【図３】
2008035021.tif 000005
【図４】
2008035021.tif 000006
【図５】
2008035021.tif 000007
【図６】
2008035021.tif 000008
【図７】
2008035021.tif 000009
【図８】
2008035021.tif 000010
【図９】
2008035021.tif 000011